(57)【要約】      （修正有）【課題】ユーザの使用中に、他の制御装置による意図しない制御が実行されることを抑制することが可能な再生装置を提供する。【解決手段】再生装置（親機）２ａは、複数の制御装置１ａおよび１ｂと通信する通信部と、通信部を介して、複数の制御装置１ａおよび１ｂのうちいずれかから音声データの再生動作に関する制御要求を取得した場合に、予め設定された優先度に基づいて、取得された制御要求に基づく制御の実行を調整する制御部と、を備える。【選択図】図５
2017003645.tif 000002
【特許請求の範囲】
【請求項１】
複数の制御装置と通信する通信部と、
前記通信部を介して、前記複数の制御装置のうちいずれかから音声データの再生動作に関する制御要求を取得した場合に、予め設定された優先度に基づいて、取得された前記制御要求に基づく制御の実行を調整する制御部と、を備える、再生装置。
【請求項２】
前記制御部は、予め設定された優先度に基づいて、前記制御要求が第１制御装置からの第１制御要求か、または前記第１制御装置よりも優先度の低い第２制御装置からの第２制御要求かを判断し、前記制御要求が前記第１制御要求であると判断される場合には、前記第１制御要求に基づく制御を実行し、前記制御要求が前記第２制御要求であると判断される場合には、前記第２制御要求に基づく制御を実行するか否かをさらに判断することによって、前記制御要求に基づく制御の実行を調整するように構成されている、請求項１に記載の再生装置。
【請求項３】
前記制御部は、前記第２制御要求に基づく制御を実行しないと判断される場合には、前記第２制御装置に対して、前記第２制御要求に基づく制御が拒否されたことを通知する制御を行うように構成されている、請求項２に記載の再生装置。
【請求項４】
前記制御部は、前記制御要求が前記第２制御要求であると判断される場合には、前記第１制御装置が前記再生装置を制御する制御状態であるか否かを確認するとともに、前記第１制御装置が前記制御状態ではないと判断される場合には、取得された前記第２制御要求に基づく制御を実行するように構成されている、請求項２または３に記載の再生装置。
【請求項５】
前記制御部は、前記第１制御装置が前記制御状態であると判断される場合には、取得された前記第２制御要求に基づく制御を実行しないように構成されている、請求項４に記載の再生装置。
【請求項６】
前記制御部は、前記第１制御装置が前記制御状態であると判断される場合には、前記第１制御装置から、前記第２制御要求に基づく制御に関する許否設定情報を取得するとともに、取得された前記許否設定情報に基づいて、前記第２制御要求に基づく制御を実行するか否かを判断するように構成されている、請求項４に記載の再生装置。
【請求項７】
前記制御部は、前記第１制御装置から、複数の前記第２制御装置の前記第２制御要求に基づく制御に関する許否設定情報を予め取得するとともに、前記制御要求が前記第２制御要求であると判断される場合には、予め取得された前記許否設定情報に基づいて、前記第２制御要求に基づく制御を実行するか否かを判断するように構成されている、請求項２〜６のいずれか１項に記載の再生装置。
【請求項８】
複数の制御装置と再生装置の通信部により通信するステップと、
前記通信部を介して、前記複数の制御装置のうちいずれかから音声データの再生動作に関する制御要求を取得した場合に、予め設定された優先度に基づいて、取得された前記制御要求に基づく制御の実行を前記再生装置の制御部により調整するステップと、を備える、再生方法。
【発明の詳細な説明】
【技術分野】
【０００１】
この発明は、再生装置および再生方法に関し、特に、音声データの再生動作に関する制御要求を取得する再生装置および再生方法に関する。
【背景技術】
【０００２】
従来、音声データの再生動作に関する制御要求を取得する再生装置が知られている（たとえば、特許文献１参照）。
【０００３】
上記特許文献１には、音声データを提供するデバイスと、デバイスから提供される音声データを再生する複数のプレーヤ（再生装置）と、複数のプレーヤの動作を制御するコントローラと、を備えるメディアシステムが開示されている。このメディアシステムでは、デバイス、プレーヤおよびコントローラは、有線または無線のネットワークを介して互いに通信可能に構成されており、コントローラは、ネットワークを介して制御信号（制御要求）を送信することにより、複数のプレーヤの動作を制御するように構成されている。また、プレーヤは、制御信号を取得すると、取得された制御信号に基づいて、たとえば音声データの再生などの制御を実行するように構成されている。また、このメディアシステムは、複数のコントローラの各々により、複数のプレーヤの動作を制御することが可能に構成されている。
【先行技術文献】
【特許文献】
【０００４】
【特許文献１】特表２０１４−５１９７２６号公報
【発明の概要】
【発明が解決しようとする課題】
【０００５】
しかしながら、上記特許文献１に記載のメディアシステムでは、複数のコントローラから複数の制御信号がプレーヤに送信される場合があるため、以下の問題点が生じると考えられる。すなわち、プレーヤがあるコントローラからの制御信号を取得し、取得された制御信号に基づく制御（たとえば、音声データの再生などの制御）を実行している間に、他のコントローラからの制御信号が取得された場合には、後から取得された他のコントローラ（制御装置）の制御信号に基づく制御がプレーヤにおいて実行されてしまう。このため、あるユーザのプレーヤの使用中に、他のコントローラによる意図しない制御が実行されてしまうという問題点が生じると考えられる。
【０００６】
この発明は、上記のような課題を解決するためになされたものであり、この発明の１つの目的は、ユーザの使用中に、他の制御装置による意図しない制御が実行されることを抑制することが可能な再生装置および再生方法を提供することである。
【課題を解決するための手段】
【０００７】
この発明の第１の局面による再生装置は、複数の制御装置と通信する通信部と、通信部を介して、複数の制御装置のうちいずれかから音声データの再生動作に関する制御要求を取得した場合に、予め設定された優先度に基づいて、取得された制御要求に基づく制御の実行を調整する制御部と、を備える。
【０００８】
この発明の第１の局面による再生装置では、上記のように制御部を構成する。これにより、後から取得された制御要求が一律に実行される場合と異なり、他の制御装置からの制御要求が取得されたとしても、制御部により調整が行われるので、一律に他の制御装置からの制御要求に基づく制御が実行されることを抑制することができる。その結果、あるユーザの再生装置の使用中に、他の制御装置による意図しない制御が実行されることを抑制することができる。
【０００９】
上記第１の局面による再生装置において、好ましくは、制御部は、予め設定された優先度に基づいて、制御要求が第１制御装置からの第１制御要求か、または第１制御装置よりも優先度の低い第２制御装置からの第２制御要求かを判断し、制御要求が第１制御要求であると判断される場合には、第１制御要求に基づく制御を実行し、制御要求が第２制御要求であると判断される場合には、第２制御要求に基づく制御を実行するか否かをさらに判断することによって、制御要求に基づく制御の実行を調整するように構成されている。このように構成すれば、制御要求が第１制御要求であると判断される場合には、第１制御要求に基づく制御を実行することによって、第２制御装置よりも優先度の高い第１制御装置を使用するユーザの操作に基づく制御（第１制御要求に基づく制御）を確実に実行させることができる。また、制御要求が第２制御要求であると判断される場合には、第２制御要求に基づく制御を実行するか否かをさらに判断することによって、第２制御装置から第２制御要求が取得されたとしても、第２制御要求に基づく制御が一律に実行されることがない。これらの結果、第１制御装置を使用するユーザの再生装置の使用を制限することなく、第１制御装置を使用するユーザの再生装置の使用中に、第２制御装置による意図しない制御が実行されることを確実に抑制することができる。
【００１０】
この場合、好ましくは、制御部は、第２制御要求に基づく制御を実行しないと判断される場合には、第２制御装置に対して、第２制御要求に基づく制御が拒否されたことを通知する制御を行うように構成されている。このように構成すれば、第２制御要求に基づく制御が、第１制御装置を使用するユーザの意図しない制御であるとして拒否されたことを、第２制御装置を使用するユーザに対して通知することができる。
【００１１】
上記取得された制御要求が第１制御要求であるかまたは第２制御要求であるかを判断する構成において、好ましくは、制御部は、取得された制御要求が第２制御要求であると判断される場合には、第１制御装置が再生装置を制御する制御状態であるか否かを確認するとともに、第１制御装置が制御状態ではないと判断される場合には、取得された第２制御要求に基づく制御を実行するように構成されている。このように構成すれば、第１制御装置が制御状態ではないと判断されるような、第１制御装置を使用するユーザにより再生装置が使用中ではないと考えられる場合には、第２制御要求に基づく制御を実行することができる。その結果、第１制御装置を使用するユーザの使用状況に合わせて、制御要求に基づく制御を実行することができる。
【００１２】
この場合、好ましくは、制御部は、第１制御装置が制御状態であると判断される場合には、第２制御要求に基づく制御を実行しないように構成されている。このように構成すれば、第１制御装置が制御状態であると判断されるような、第１制御装置を使用するユーザにより再生装置が使用中であると考えられる場合には、第２制御要求に基づく制御を実行しないようにすることができる。その結果、第１制御装置を使用するユーザの使用中に、第２制御装置による意図しない制御が実行されることを確実に抑制することができる。
【００１３】
上記第１制御装置が制御状態であるか否かを判断する構成において、好ましくは、制御部は、第１制御装置が制御状態であると判断される場合には、第１制御装置から、第２制御要求に基づく制御に関する許否設定情報を取得するとともに、取得された許否設定情報に基づいて、第２制御要求に基づく制御を実行するか否かを判断するように構成されている。このように構成すれば、第１制御装置を使用するユーザにより再生装置が使用中であると考えられる場合であっても、たとえば第１制御装置を使用するユーザが許可するような場合には、第２制御要求に基づく制御を実行するようにすることができる。また、たとえば第１制御装置を使用するユーザが拒否するような場合には、第２制御要求に基づく制御を実行しないようにすることができる。これらの結果、第１制御装置を使用するユーザの意図しない制御が実行されることを確実に抑制しつつ、第１制御装置を使用するユーザの使用状況に合わせて、制御要求に基づく制御をより柔軟に実行することができる。
【００１４】
上記取得された制御要求が第１制御要求であるかまたは第２制御要求であるかを判断する構成において、好ましくは、制御部は、前記第１制御装置から、複数の前記第２制御装置の前記第２制御要求に基づく制御に関する許否設定情報を予め取得するとともに、制御要求が第２制御要求であると判断される場合には、予め取得された前記許否設定情報に基づいて、第２制御要求に基づく制御を実行するか否かを判断するように構成されている。このように構成すれば、複数の第２制御装置の許否設定情報を一度に取得することができるので、複数の第２制御装置の各々の許否設定情報を個別に取得する場合と比べて、再生装置の動作が煩雑になるのを抑制することができる。また、予め取得された許否設定情報に基づいて、第２制御要求に基づく制御を実行するか否かを判断することによって、第１制御装置を使用するユーザの意図しない制御が実行されることを確実に抑制しつつ、第１制御装置を使用するユーザの使用状況に合わせて、制御要求に基づく制御をより柔軟に実行することができる。
【００１５】
この発明の第２の局面による再生方法は、複数の制御装置と再生装置の通信部により通信するステップと、通信部を介して、複数の制御装置のうちいずれかから音声データの再生動作に関する制御要求を取得した場合に、予め設定された優先度に基づいて、取得された制御要求に基づく制御の実行を再生装置の制御部により調整するステップと、を備える。
【００１６】
この発明の第２の局面による再生方法では、再生装置の制御部により上記のように行うステップを設ける。これにより、上記第１の局面による再生装置の場合と同様に、ユーザの使用中に、他の制御装置による意図しない制御が実行されることを抑制することができる。
【発明の効果】
【００１７】
本発明によれば、上記のように、ユーザの使用中に、他の制御装置による意図しない制御が実行されることを抑制することが可能な再生装置および再生方法を提供することができる。
【図面の簡単な説明】
【００１８】
【図１】本発明の第１〜第３実施形態による再生システムの全体構成を示すブロック図である。
【図２】本発明の第１実施形態による再生システムの使用状態の一例を示す図である。
【図３】本発明の第１実施形態による再生システムにおいてグループを形成する再生装置により音声データを再生する場合を説明するための図である。
【図４】本発明の第１実施形態による再生システムにおいて優先度の高い制御装置から再生動作に関する制御要求が送信される場合を説明するための図である。
【図５】本発明の第１実施形態による再生システムにおいて優先度の低い制御装置から再生動作に関する制御要求が送信される場合で、優先度の高い制御装置が制御状態である場合を説明するための図である。
【図６】本発明の第１実施形態による再生システムの優先度の低い制御装置における制御が拒否されたことの通知画面を示す図である。
【図７】本発明の第１実施形態による再生システムにおいて優先度の低い制御装置から再生動作に関する制御要求が送信される場合で、優先度の高い制御装置が制御状態ではない場合を説明するための図である。
【図８】本発明の第１実施形態による再生システムの優先度の低い制御装置における制御が許可されたことの通知画面を示す図である。
【図９】本発明の第１実施形態による再生システムの優先度の低い制御装置による制御を実行しない場合を説明するためのシーケンス図である。
【図１０】本発明の第１実施形態による再生システムの優先度の低い制御装置による制御を実行する場合を説明するためのシーケンス図である。
【図１１】本発明の第２実施形態による再生システムにおいて許否設定情報に基づいて優先度の低い制御装置からの再生動作に関する制御要求を判断する場合を説明するための図である。
【図１２】本発明の第２実施形態による再生システムの優先度の高い制御装置における許否設定画面を示す図である。
【図１３】本発明の第２実施形態による再生システムの許否設定情報に基づいて制御要求に基づく制御を実行する場合を説明するためのシーケンス図である。
【図１４】本発明の第３実施形態による再生システムの優先度の高い制御装置における許否設定画面を示す図である。
【図１５】本発明の第３実施形態による再生システムにおいて許否設定情報に基づいて優先度の低い制御装置からの再生動作に関する制御要求を判断する場合を説明するための図である。
【図１６】本発明の第３実施形態による再生システムの許否設定情報に基づいて制御要求に基づく制御を実行しまたは実行しない場合を説明するためのシーケンス図である。
【発明を実施するための形態】
【００１９】
以下、本発明を具体化した実施形態を図面に基づいて説明する。
【００２０】
[第１実施形態]
（再生システムの構成）
まず、図１を参照して、本発明の第１実施形態による再生システム１００の構成について説明する。
【００２１】
本発明の第１実施形態による再生システム１００は、図１に示すように、制御装置１と、再生装置２と、無線ルータ３と、を備えている。制御装置１は、スマートフォン（多機能携帯電話）や、タブレットＰＣなどの携帯端末であり、再生装置２を制御して、再生装置２により音楽などのコンテンツの音声データを再生させるように構成されている。再生装置２は、スピーカ装置であり、制御装置１からの後述する制御要求（制御コマンド）に基づいて、制御（制御動作）を実行するように構成されている。再生装置２は、たとえば、制御要求により音声データの再生が指示される場合には、音声データを再生し、音声を外部に出力するように構成されている。
【００２２】
再生システム１００は、複数の制御装置１と、複数の再生装置２とを用いることが可能に構成されている。この第１実施形態では、図２に示すように、制御装置１として、制御装置１ａおよび１ｂの２つの制御装置を用い、再生装置２として、再生装置２ａ、２ｂおよび２ｃの３つの再生装置を用いる例について説明する。
【００２３】
また、再生システム１００では、複数（２つ）の制御装置１および複数（３つ）の再生装置２は、複数の制御装置１および複数の再生装置２を含むローカルエリアネットワーク上で、無線ルータ３を介して、互いに無線で接続されている。これにより、複数の制御装置１および複数の再生装置２は、ネットワーク内で、互いに無線通信可能に構成されている。
【００２４】
（制御装置の構成）
複数（２つ）の制御装置１（１ａおよび１ｂ）は、互いに略同様の構成であるので、以下では、再生装置１ａおよび１ｂを、制御装置１として説明する。
【００２５】
制御装置１は、記憶部１１と、表示部１２と、通信部１３と、制御部１４とを含んでいる。
【００２６】
記憶部１１は、ＲＯＭやＲＡＭなどのメモリを含み、制御装置１を動作させるためのプログラムなどが記憶されるように構成されている。また、記憶部１１は、音楽や動画などのコンテンツが記憶されるように構成されている。また、記憶部１１には、再生システム１００に対応する所定のアプリケーションが記憶されるように構成されている。
【００２７】
表示部１２は、液晶パネルを含み、記憶部１１に記憶されたプログラムに対応する画像や、記憶部１１に記憶されたコンテンツに対応する映像などを表示するように構成されている。
【００２８】
通信部１３は、所定の規格（たとえば、ＩＥＥＥ８０２．１１規格）に基づいて、無線通信が可能に構成されている。また、通信部１３は、無線ルータ３を介して、他の制御装置１および複数（３つ）の再生装置２（２ａ〜２ｃ）と無線通信するように構成されている。
【００２９】
制御部１４は、ＣＰＵを含み、制御装置１の各構成要素を制御するように構成されている。
【００３０】
（再生装置の構成）
複数（３つ）の再生装置２（２ａ〜２ｃ）は、互いに略同様の構成であるので、以下では、再生装置２ａ〜２ｃを、再生装置２として説明する。
【００３１】
再生装置２は、通信部２１と、デコード部２２と、スピーカ部２３と、記憶部２４と、制御部２５とを含んでいる。
【００３２】
通信部２１は、所定の規格（たとえば、ＩＥＥＥ８０２．１１規格）に基づいて、無線通信が可能に構成されている。また、通信部２１は、無線ルータ３を介して、複数（２つ）の制御装置１（１ａおよび１ｂ）および他の再生装置２と無線通信するように構成されている。
【００３３】
デコード部２２は、符号化された音声データを復号するように構成されている。
【００３４】
スピーカ部２３は、入力された音声データを再生し、音声を外部に出力するように構成されている。
【００３５】
記憶部２４は、ＲＯＭやＲＡＭなどのメモリを含み、再生装置２を動作させるためのプログラムなどが記憶されるように構成されている。
【００３６】
制御部２５は、ＣＰＵを含み、再生装置２の各構成要素を制御するように構成されている。
【００３７】
（再生装置による音声データの再生）
次に、図２および図３を参照して、再生システム１００の制御装置１による再生装置２の制御（制御動作）の一例として、再生装置２による音声データの再生について説明する。
【００３８】
ここで、再生システム１００は、マルチルームオーディオシステムにより構成されている。マルチルームオーディオシステムは、音声データを配信するための音源装置と、音源装置から配信される音声データを再生するための再生装置と、音源装置および再生装置の設定および制御を行うための制御装置とを備えるオーディオシステムであり、１つの音源装置から複数の部屋に配置された再生装置に音楽や動画などのコンテンツの音声データをネットワークで配信するオーディオシステムである。
【００３９】
図２および図３の説明では、音源装置および制御装置として、制御装置１ａを用い、再生装置として、複数（３つ）の再生装置２（２ａ〜２ｃ）を用いる例について説明する。
【００４０】
図２に示すように、複数（３つ）の再生装置２ａ、２ｂおよび２ｃは、それぞれ、部屋Ｒ１、部屋Ｒ２および部屋Ｒ３に配置されている。
【００４１】
マルチルームオーディオシステムでは、複数の部屋に配置された複数（３つ）の再生装置２（２ａ〜２ｃ）に対して、個別に異なる音声データを配信することが可能である。
【００４２】
また、図３に示すように、複数（３つ）の再生装置２のうち指定の再生装置２によりグループを形成するとともに、グループに対してそれぞれ異なる音声データを配信することも可能である。この第１実施形態では、３つの再生装置２ａ、２ｂおよび２ｃの全部により、第１グループが形成されている。
【００４３】
グループが形成される（グループ化される）場合には、グループを形成する複数の再生装置２（２ａ〜２ｃ）は、子機（スレーブ）、または、音源装置（制御装置１ａ）からの音声データを子機に対して送信する親機（マスタ）として設定されるように構成されている。
【００４４】
具体的には、第１グループを形成する３つの再生装置２ａ〜２ｃでは、再生装置２ｂおよび２ｃが子機として設定され、音源装置からの音声データを子機としての再生装置２ｂおよび２ｃに対して送信する親機として再生装置２ａが設定されている。
【００４５】
第１グループにより音源装置からの音声データを再生する場合には、まず、音源装置としての制御装置１ａから、親機としての再生装置２ａに対して、制御装置１ａの記憶部１１に記憶された音楽や動画などのコンテンツの音声データが送信される。そして、親機としての再生装置２ａから、子機としての再生装置２ｂおよび２ｃに対して、制御装置１ａからの音声データが送信される。
【００４６】
これらの結果、３つの再生装置２ａ〜２ｃでは、各デコード部２２により音声データが復号され、各スピーカ部２３から音声が外部に出力される。
【００４７】
（制御装置による再生装置の制御）
次に、図２〜図８を参照して、制御装置１による再生装置２の制御について説明する。
【００４８】
図２〜図５および図７に示すように、再生システム（マルチルームオーディオシステム）１００では、制御装置１から、再生装置２に対して音声データの再生動作に関する制御要求（制御コマンド）を送信することにより、再生装置２の制御が行われる。
【００４９】
具体的には、制御装置１は、ユーザの操作に基づいて、たとえば、再生装置２のグループ化を指示する制御要求、音声データの再生の開始を指示する制御要求、再生中の音声データの停止を指示する制御要求など、音声データの再生動作に関する制御要求（以下、単に制御要求という）を再生装置２に対して送信するように構成されている。
【００５０】
これにより、再生装置２は、制御装置１から制御要求を取得するとともに、取得された制御要求に基づく制御を実行するように構成されている。たとえば、音声データの再生の開始を指示する制御要求が取得された場合には、再生装置２は、上記のように、音源装置から音声データを取得し、取得された音声データの再生を開始するように構成されている。
【００５１】
ここで、第１実施形態では、再生装置２の制御部２５は、複数（２つ）の制御装置１（１ａおよび１ｂ）のいずれかから制御要求を取得した場合に、取得された制御要求に基づく制御の実行を調整するように構成されている。以下、この調整について、詳細に説明する。
【００５２】
まず、再生装置２の制御部２５は、予め設定された優先度に基づいて、取得された制御要求が優先度の高い制御装置１からの制御要求であるか、または優先度の低い制御装置１からの制御要求であるかを判断するように構成されている。
【００５３】
再生装置２には、複数（２つ）の制御装置１（１ａおよび１ｂ）に関して、予め優先度が設定されている。優先度の設定の方法としては、たとえば、その再生装置２において最初に制御要求が取得された場合に、制御要求を送信した制御装置１を優先度の高い制御装置１とする方法や、ユーザの操作に基づいて優先度を決定する方法などを用いることが可能である。
【００５４】
たとえば、図２に示すように、再生装置２ａ〜２ｃの３つにおいて、制御装置１ａからの再生装置２のグループ化を指示する制御要求が最初に取得された制御要求である場合には、再生装置２ａ〜２ｃの３つでは、制御装置１ａを優先度の高い制御装置１とすることが可能である。また、この場合には、再生装置２ａ〜２ｃでは、制御装置１ｂを優先度の低い制御装置１とすることが可能である。
【００５５】
また、再生装置２の制御部２５は、優先度の高い制御装置１の識別情報を取得し、取得された優先度の高い制御装置１の識別情報に基づいて、優先度を管理するように構成されている。具体的には、再生装置２の制御部２５は、制御要求を送信した制御装置１の識別情報が優先度の高い制御装置１の識別情報である場合（識別情報が一致する場合）には、取得された制御要求が優先度の高い制御装置１からの制御要求であると判断するように構成されている。また、再生装置２の制御部２５は、制御要求を送信した制御装置１の識別情報が優先度の高い制御装置１以外の識別情報である場合（識別情報が一致しない場合）には、取得された制御要求が優先度の低い制御装置１からの制御要求であると判断するように構成されている。
【００５６】
なお、上記の識別情報としては、たとえば、ＵＤＩＤ（Ｕｎｉｑｕｅ  Ｄｅｖｉｃｅ  Ｉｄｅｎｔｉｆｉｒｅ）や、Ｄｅｖｉｃｅ  ＩＤ、ＩＰ（Ｉｎｔｅｒｎｅｔ  Ｐｒｏｔｃｏｌ）アドレス、ＭＡＣ（Ｍｅｄｉａ  Ａｃｃｅｓｓ  Ｃｏｎｔｒｏｌｌ）アドレスなどの機器固有の情報を用いることが可能である。
【００５７】
そして、再生装置２の制御部２５は、取得された制御要求が優先度の高い制御装置１からの制御要求であると判断される場合には、優先度の高い制御装置１からの制御要求に基づく制御を実行するように構成されている。
【００５８】
一方、再生装置２の制御部２５は、取得された制御要求が優先度の低い制御装置１からの制御要求であると判断される場合には、優先度の高い制御装置１が再生装置２を制御する再生装置制御状態（以下、単に制御状態という）であるか否かをさらに確認するように構成されている。
【００５９】
具体的には、再生装置２の制御部２５は、優先度の高い制御装置１がネットワーク上に存在するか否か、および優先度の高い制御装置１において再生装置２を制御するための所定のアプリケーション（再生システム１００に対応する所定のアプリケーション）が起動されているか否かを確認することにより、優先度の高い制御装置１が再生装置２を制御する制御状態であるか否かを確認するように構成されている。
【００６０】
この場合、再生装置２の制御部２５は、優先度の高い制御装置１に対して、優先度の高い制御装置１が制御状態であるか否かを確認するための確認要求を送信するように構成されている。
【００６１】
優先度の高い制御装置１がネットワーク上に存在し、かつ、優先度の高い制御装置１において所定のアプリケーションが起動されている場合には、確認要求に応答するように、優先度の高い制御装置１から確認要求を送信した再生装置２に対して、制御状態であることを通知するための確認応答が送信される。したがって、再生装置２の制御部２５は、確認応答が取得された場合には、優先度の高い制御装置１が制御状態であると判断（確認）するように構成されている。
【００６２】
また、優先度の高い制御装置１がネットワーク上に存在しないか、または優先度の高い制御装置１において所定のアプリケーションが起動されていない場合には、優先度の高い制御装置１から確認応答が送信されない。したがって、再生装置２の制御部２５は、たとえば所定の時間内に確認応答が取得されない場合には、優先度の高い制御装置１が制御状態ではないと判断（確認）するように構成されている。
【００６３】
また、第１実施形態では、再生装置２の制御部２５は、確認された優先度の高い制御装置１の制御状態に基づいて、優先度の低い制御装置１からの制御要求に基づく制御を実行するか否かをさらに判断するように構成されている。
【００６４】
具体的には、再生装置２の制御部２５は、優先度の高い制御装置１が制御状態であると判断される場合には、優先度の低い制御装置１からの制御要求に基づく制御を実行しないと判断するように構成されている。つまり、優先度の高い制御装置１が再生装置２を制御中である場合（つまり、制御装置１を使用するユーザが再生装置２を使用中である場合）には、再生装置２の制御部２５は、優先度の低い制御装置１からの制御要求が取得されたとしても、優先度の低い制御装置１からの制御要求に基づく制御を実行しないように構成されている。
【００６５】
そして、優先度の低い制御装置１からの制御要求に基づく制御を実行しないと判断される場合には、再生装置２の制御部２５は、優先度の低い制御装置１に対して、優先度の低い制御装置１からの制御要求に基づく制御が拒否されたことを通知する制御を行うように構成されている。
【００６６】
また、再生装置２の制御部２５は、優先度の高い制御装置１が制御状態ではないと判断される場合には、優先度の低い制御装置１からの制御要求に基づく制御を実行すると判断するように構成されている。つまり、優先度の高い制御装置１が再生装置２を制御中ではない場合（つまり、制御装置１を使用するユーザが再生装置２を使用中ではない場合）には、再生装置２の制御部２５は、優先度の低い制御装置１からの制御要求に基づく制御を実行するように構成されている。
【００６７】
そして、優先度の低い制御装置１からの制御要求に基づく制御を実行すると判断される場合には、再生装置２の制御部２５は、優先度の低い制御装置１に対して、優先度の低い制御装置１からの制御要求に基づく制御が許可されたことを通知する制御を行うように構成されている。
【００６８】
〈優先度の高い制御装置から制御要求が送信される場合〉
次に、図４を参照して、優先度の高い制御装置１（１ａ）から制御要求が送信される場合について具体例に基づいて説明する。第１実施形態では、再生装置２ａ〜２ｃにおいてユーザＡ（図２参照）が使用する制御装置１ａが優先度の高い制御装置１であり、ユーザＢ（図２参照）が使用する制御装置１ｂが優先度の低い制御装置１であり、複数（３つ）の再生装置２（２ａ〜２ｃ）のうち再生装置２ａに対して制御要求が送信される例について説明する。
【００６９】
図４に示すように、まず、優先度の高い制御装置１ａから再生装置２ａに対して制御要求が送信される。制御要求が取得された再生装置２ａでは、優先度の高い制御装置１ａからの制御要求であると判断され、たとえば音声データの再生などの制御要求に基づく制御が実行される。この結果、優先度の高い制御装置１ａを使用するユーザＡは、再生装置２ａを何らの制限もなく通常通りに使用することができる。
【００７０】
〈優先度の低い制御装置から制御要求が送信される場合〉
次に、図５〜図８を参照して、優先度の低い制御装置１ｂから制御要求が送信される場合について具体例に基づいて説明する。
【００７１】
まず、図５および図６を参照して、制御装置１ａが制御状態である場合に、優先度の低い制御装置１ｂから制御要求が送信される場合について説明する。なお、以下の説明で、（１）〜（４）の符号は、参照する図面の符号と対応する。
【００７２】
図５に示すように、まず、（１）優先度の低い制御装置１ｂから再生装置２ａに対して、制御要求が送信される。この場合、再生装置２ａでは、優先度の低い制御装置１ｂからの制御要求であると判断され、（２）再生装置２ａから優先度の高い制御装置１ａに対して、制御状態であるか否かを確認するための確認要求が送信される。そして、（３）優先度の高い制御装置１ａから再生装置２ａに対して、制御状態であることを通知するための確認応答が送信される。そして、再生装置２ａでは、優先度の高い制御装置１ａが制御状態であると判断され、（４）再生装置２ａから優先度の低い制御装置１ｂに対して、制御が拒否されたことを通知するための拒否通知が送信される。この際、再生装置２ａでは、優先度の低い制御装置１ｂからの制御要求に基づく制御は、実行されない。この結果、優先度の低い制御装置１ｂを使用するユーザＢは、制御装置１ａを使用するユーザが再生装置２ａを使用中である場合には、再生装置２ａを使用することができない。
【００７３】
また、図６に示すように、優先度の低い制御装置１ｂでは、拒否通知が取得された場合には、優先度の低い制御装置１ｂの表示部１２に、たとえばポップアップで拒否されたことの通知画面３１が表示される。この結果、優先度の低い制御装置１ｂを使用するユーザＢは、再生装置２ａを使用することができないことを知ることが可能である。
【００７４】
次に、図７および図８を参照して、制御装置１ａが制御状態ではない場合に、優先度の低い制御装置１から制御要求が送信される場合について説明する。なお、以下の説明で、（１）〜（４）の符号は、参照する図面の符号と対応する。
【００７５】
図７に示すように、まず、（１）優先度の低い制御装置１ｂから再生装置２ａに対して、制御要求が送信される。この場合、再生装置２ａでは、優先度の低い制御装置１ｂからの制御要求であると判断され、（２）再生装置２ａから優先度の高い制御装置１ａに対して、制御状態であるか否かを確認するための確認要求が送信される。この場合、優先度の高い制御装置１ａからの確認応答が取得されないので、再生装置２ａでは、（３）応答なしである（優先度の高い制御装置１ａが制御状態ではない）と判断される。そして、（４）再生装置２ａから優先度の低い制御装置１ｂに対して、制御が許可されたことを通知するための許可通知が送信されるとともに、再生装置２ａでは、優先度の低い制御装置１ｂからの制御要求に基づく制御が実行される。この結果、優先度の低い制御装置１ｂを使用するユーザＢは、制御装置１ａを使用するユーザＡが再生装置２ａを使用中ではない場合には、再生装置２ａを使用することができる。
【００７６】
また、図８に示すように、優先度の低い制御装置１ｂでは、許可通知が取得された場合には、優先度の低い制御装置１ｂの表示部１２に、たとえばポップアップで許可されたことの通知画面３２が表示される。この結果、優先度の低い制御装置１ｂを使用するユーザＢは、再生装置２ａを使用することができることを知ることが可能である。
【００７７】
（制御要求に基づく制御を実行しない場合の処理）
次に、図９を参照して、再生システム１００における優先度の低い制御装置１ｂによる制御を実行しない場合（制御装置１ａが制御状態である場合）の処理をシーケンス図に基づいて説明する。制御装置１（１ａおよび１ｂ）の動作は、制御部１４により行われ、再生装置２（２ａ）の動作は、制御部２５により行われる。
【００７８】
図９に示すように、まず、ステップＳ１において、優先度の低い制御装置１ｂから再生装置２（２ａ）に対して制御要求が送信される。
【００７９】
そして、ステップＳ２において、優先度の低い制御装置１ｂからの制御要求であることが再生装置２により判断される。その結果、ステップＳ３において、再生装置２から優先度の高い制御装置１ａに対して、優先度の高い制御装置１ａが制御状態であるか否かを確認するための確認要求が送信される。
【００８０】
図９に示す例では、優先度の高い制御装置１ａが制御状態であるので、ステップＳ４において、優先度の高い制御装置１ａから再生装置２に対して、制御状態であることを通知するための確認応答が送信される。
【００８１】
その結果、優先度の高い制御装置１ａが制御状態であることが再生装置２により判断されるので、ステップＳ５において、再生装置２から優先度の低い制御装置１ｂに対して、制御が拒否されたことを通知するための拒否通知が送信される。この際、再生装置２では、優先度の低い制御装置１ｂからの制御要求に基づく制御は、実行されない。
【００８２】
そして、ステップＳ６において、拒否されたことの通知画面（拒否画面）３１（図６参照）が優先度の低い制御装置１ｂの表示部１２に表示される。
【００８３】
（制御要求に基づく制御を実行しない場合の処理）
次に、図１０を参照して、再生システム１００における優先度の低い制御装置１ｂによる制御を実行する場合（制御装置１ａが制御状態ではない場合）の処理をシーケンス図に基づいて説明する。制御装置１（１ａおよび１ｂ）の動作は、制御部１４により行われ、再生装置２（２ａ）の動作は、制御部２５により行われる。なお、図９に示したシーケンス図と同一の処理については、同じ符号を付してその説明を省略する。
【００８４】
図１０に示すように、まず、ステップＳ１〜Ｓ３において、図９に示すシーケンス図と同様の処理が行われる。
【００８５】
図１０に示す例では、優先度の高い制御装置１ａが制御状態ではないので、優先度の高い制御装置１ａから再生装置２（２ａ）に対して、制御状態であることを通知するための確認応答が送信されない。たとえば所定の時間内に、優先度の高い制御装置１ａからの確認応答がない場合には、ステップＳ１１において、応答なしである（優先度の高い制御装置１ａが制御状態ではない）ことが再生装置２により判断される。
【００８６】
その結果、ステップＳ１２において、再生装置２から優先度の低い制御装置１ｂに対して、制御が許可されたことを通知するための許可通知が送信される。
【００８７】
そして、ステップＳ１３において、許可されたことの通知画面（許可画面）３２（図８参照）が優先度の低い制御装置１ｂの表示部１２に表示されるとともに、ステップＳ１４において、優先度の低い制御装置１ｂからの制御要求に基づく制御が再生装置２により実行される。
【００８８】
（第１実施形態の効果）
第１実施形態では、以下のような効果を得ることができる。
【００８９】
第１実施形態では、上記のように、複数の制御装置１（１ａおよび１ｂ）のうちいずれかから音声データの再生動作に関する制御要求を取得した場合に、予め設定された優先度に基づいて、取得された制御要求に基づく制御の実行を調整するように再生装置２の制御部２５を構成する。これにより、後から取得された制御要求が一律に実行される場合と異なり、他の制御装置１（たとえば、制御装置１ｂ）からの制御要求が取得されたとしても、制御部２５により調整が行われるので、一律に他の制御装置１からの制御要求に基づく制御が実行されることを抑制することができる。その結果、あるユーザ（たとえば、ユーザＡ）の再生装置２（たとえば、再生装置２ａ）の使用中に、他の制御装置１による意図しない制御が実行されることを抑制することができる。
【００９０】
また、第１実施形態では、上記のように、予め設定された優先度に基づいて、取得された制御要求が優先度の高い制御装置１（たとえば、制御装置１ａ）からの制御要求であるか、または優先度の低い制御装置１（たとえば、制御装置１ｂ）からの制御要求であるかを判断するように制御部２５を構成する。そして、取得された制御要求が優先度の高い制御装置１からの制御要求であると判断される場合には、制御要求に基づく制御を実行し、取得された制御要求が優先度の低い制御装置１からの制御要求であると判断される場合には、制御要求に基づく制御を実行するか否かをさらに判断することによって、制御要求に基づく制御の実行を調整するように制御部２５を構成する。これにより、取得された制御要求が優先度の高い制御装置１からの制御要求であると判断される場合には、制御要求に基づく制御を実行することによって、優先度の高い制御装置１を使用するユーザ（たとえば、ユーザＡ）の操作に基づく制御を確実に実行させることができる。また、取得された制御要求が優先度の低い制御装置１からの制御要求であると判断される場合には、制御要求に基づく制御を実行するか否かをさらに判断することによって、優先度の低い制御装置１から制御要求が取得されたとしても、優先度の低い制御装置１からの制御要求に基づく制御が一律に実行されることがない。これらの結果、優先度の高い制御装置１を使用するユーザの再生装置２（たとえば、再生装置２ａ）の使用を制限することなく、優先度の高い制御装置１を使用するユーザの再生装置２の使用中に、優先度の低い制御装置１による意図しない制御が実行されることを確実に抑制することができる。
【００９１】
また、第１実施形態では、上記のように、優先度の低い制御装置１からの制御要求に基づく制御を実行しないと判断される場合には、優先度の低い制御装置１に対して、優先度の低い制御装置１からの制御要求に基づく制御が拒否されたことを通知する制御を行うように制御部２５を構成する。これにより、優先度の低い制御装置１からの制御要求に基づく制御が実行されないと判断される場合に、優先度の低い制御装置１からの制御要求に基づく制御が、優先度の高い制御装置１を使用するユーザの意図しない制御であるとして拒否されたことを、優先度の低い制御装置１を使用するユーザに対して通知することができる。
【００９２】
また、第１実施形態では、上記のように、取得された制御要求が優先度の低い制御装置１からの制御要求であると判断される場合には、優先度の高い制御装置１が再生装置２を制御する制御状態であるか否かを確認するとともに、優先度の高い制御装置１が制御状態ではないと判断される場合には、取得された優先度の低い制御装置１からの制御要求に基づく制御を実行するように制御部２５を構成する。これにより、優先度の高い制御装置１を使用するユーザにより再生装置２が使用中であるか否かを確認することができる。また、優先度の高い制御装置１が制御状態ではないと判断されるような、優先度の高い制御装置１を使用するユーザにより再生装置２が使用中ではないと考えられる場合には、優先度の低い制御装置１からの制御要求に基づく制御を実行することができる。その結果、優先度の高い制御装置１を使用するユーザの使用状況に合わせて、制御要求に基づく制御を実行することができる。
【００９３】
また、第１実施形態では、上記のように、優先度の高い制御装置１が再生装置２制御状態であると判断される場合には、取得された優先度の低い制御装置１からの制御要求に基づく制御を実行しないように制御部２５を構成する。これにより、優先度の高い制御装置１が制御状態であると判断されるような、優先度の高い制御装置１を使用するユーザにより再生装置２が使用中であると考えられる場合には、優先度の低い制御装置１からの制御要求に基づく制御を実行しないようにすることができる。その結果、優先度の高い制御装置１を使用するユーザの使用中に、優先度の低い制御装置１による意図しない制御が実行されることを確実に抑制することができる。
【００９４】
[第２実施形態]
次に、図１、図６、図８、図９および図１１〜図１３を参照して、第２実施形態について説明する。この第２実施形態では、優先度の高い制御装置１が再生装置２を制御する制御状態である場合に、優先度の低い制御装置１からの制御要求に基づく制御を実行しないように再生装置２を構成した上記第１実施形態の構成に加えて、優先度の高い制御装置１０１が再生装置１０２を制御する制御状態である場合には、許否設定情報を取得し、取得された許否設定情報に基づいて、優先度の低い制御装置１０１からの制御要求に基づく制御を実行するか否かをさらに判断するように再生装置１０２を構成する例について説明する。
【００９５】
（再生システムの構成）
本発明の第２実施形態による再生システム２００は、図１に示すように、制御装置１０１（１０１ａおよび１０１ｂ）と、再生装置１０２とを備える点で、上記第１実施形態の再生システム１００とは相違する。また、制御装置１０１は、制御部１１４を含む点で、上記第１実施形態の制御装置１とは相違する。また、再生装置１０２は、制御部１２５を含む点で、上記第１実施形態の再生装置２とは相違する。なお、上記第１実施形態と同一の構成については、同じ符号を付してその説明を省略する。
【００９６】
第２実施形態では、制御装置１０１ａが優先度の高い制御装置１０１であり、制御装置１０１ｂが優先度の低い制御装置１０１である例について説明する。
【００９７】
（制御装置による再生装置の制御）
第２実施形態では、図１１および図１２に示すように、優先度の高い制御装置１０１ａの制御部１１４は、再生装置１０２からの確認要求が取得された場合には、優先度の低い制御装置１０１ｂからの制御要求に基づく再生装置１０２の制御を許可するかまたは拒否するかを設定するための許否設定画面１３３を、表示部１２に表示させる制御を行うように構成されている。
【００９８】
すなわち、第２実施形態では、優先度の高い制御装置１０１ａは、再生装置１０２を制御中である場合に、他のユーザが使用する制御装置１０１（優先度の低い制御装置１０１ｂ）からの制御要求が再生装置１０２により取得された場合には、許否設定画面１３３を表示部１２に表示させることにより、優先度の低い制御装置１０１ｂからの制御要求に基づく制御を許可するかまたは拒否するかを、優先度の高い制御装置１０１ａを使用するユーザに対して問合わせるように構成されている。
【００９９】
また、優先度の高い制御装置１０１ａの制御部１１４は、ユーザの操作に基づいて、優先度の低い制御装置１０１ｂの制御要求に基づく制御の許可（図１２のＹＥＳ）または拒否（図１２のＮＯ）が選択され、入力された場合には、制御中の再生装置１０２に対して、優先度の低い制御装置１０１ｂの制御要求に基づく制御に関する許否設定情報（以下、単に許否設定情報という）を送信するように構成されている。
【０１００】
この結果、第２実施形態では、再生装置１０２の制御部１２５は、優先度の高い制御装置１０１ａから許否設定情報を取得するとともに、取得された許否設定情報に基づいて、優先度の低い制御装置１０１ｂからの制御要求に基づく制御を実行するか否かを判断するように構成されている。
【０１０１】
〈優先度の低い制御装置から制御要求が送信される場合〉
次に、図１１〜図１２を参照して、許否設定に基づいて優先度の低い制御装置１０１ｂからの制御要求が制御要求を判断する場合について具体例に基づいて説明する。なお、以下の説明で、（１）〜（５）の符号は、参照する図面の符号と対応する。
【０１０２】
図１１に示すように、まず、（１）優先度の低い制御装置１０１ｂから再生装置１０２に対して、制御要求が送信される。この場合、再生装置１０２では、優先度の低い制御装置１０１ｂからの制御要求であると判断され、（２）再生装置１０２から優先度の高い制御装置１０１ａに対して、制御状態であるか否かを確認するための確認要求が送信される。そして、優先度の高い制御装置１０１ａでは、（３）許否設定画面１３３（図１２参照）が表示部１２に表示される。許否設定画面１３３において、ユーザが許可（図１２のＹＥＳ）または拒否（図１２のＮＯ）を選択し、入力すると、（４）優先度の高い制御装置１０１ａから再生装置１０２に対して、許否設定情報を含む確認応答（許否設定通知）が送信される。そして、再生装置１０２では、許否設定情報に基づいて、優先度の低い制御装置１０１ｂからの制御要求に基づく制御を実行するか否かが判断される。そして、ユーザの入力内容に応じて、（５）再生装置１０２から優先度の低い制御装置１０１ｂに対して、制御が許可されたことを通知するための許可通知、または、拒否されたことを通知するための拒否通知が送信される。この結果、優先度の低い制御装置１０１ｂを使用するユーザＢは、優先度の高い制御装置１０１ａを使用するユーザが再生装置１０２を使用中であっても、優先度の高い制御装置１０１ａを使用するユーザの許可があれば、再生装置１０２を使用することができる。
【０１０３】
（許否設定情報に基づいて制御要求を判断する処理）
次に、図１３を参照して、上記した再生システム２００における許否設定情報に基づいて制御要求に基づく制御を実行する場合の処理をシーケンス図に基づいて説明する。制御装置１０１（１０１ａおよび１０１ｂ）の動作は、制御部１１４により行われ、再生装置１０２の動作は、制御部１２５により行われる。なお、図９に示した上記第１実施形態のシーケンス図と同一の処理については、同じ符号を付してその説明を省略する。
【０１０４】
図１３に示すように、まず、ステップＳ１〜Ｓ３において、図９に示すシーケンス図と同様の処理が行われる。
【０１０５】
そして、優先度の高い制御装置１０１ａでは、確認要求が取得されると、ステップＳ２１において、許否設定画面１３３（図１２参照）が表示部１２に表示される。その後、ユーザの操作に基づいて、許可が選択され、設定されると、ステップＳ２２において、優先度の高い制御装置１０１ａから再生装置１０２に対して許否設定情報を含む確認応答（許否設定通知）が送信される。
【０１０６】
そして、ステップＳ２３において、許否設定情報が再生装置１０２により取得され、再生装置１０２の記憶部２４に記憶される。すなわち、取得された許否設定情報が再生装置１０２により管理される。
【０１０７】
そして、ステップＳ２４において、再生装置１０２から優先度の低い制御装置１０１ｂに対して、許可通知が送信される。
【０１０８】
そして、ステップＳ２５において、許可されたことの通知画面（許可画面）３２（図８参照）が優先度の低い制御装置１０１ｂの表示部１２に表示されるとともに、ステップＳ２６において、優先度の低い制御装置１０１ｂからの制御要求に基づく制御が再生装置１０２により実行される。
【０１０９】
なお、第２実施形態では、ステップＳ２３において、許否設定情報が再生装置１０２の記憶部２４に記憶されるため、以降は、制御が許可された制御装置１０１として記憶された優先度の低い制御装置１０１からの制御要求が取得された場合には、優先度の高い制御装置１０１に確認要求を送信することなく、制御要求に基づく制御が実行される。
【０１１０】
また、ステップＳ２４において、再生装置１０２から優先度の低い制御装置１０１ｂに対して、拒否通知が送信される場合には、図９に示すシーケンス図のステップＳ６と同様に、拒否されたことの通知画面３１（図６参照）が、優先度の低い制御装置１０１ｂの表示部１２に表示される。また、この際には、優先度の低い制御装置１０１ｂからの制御要求に基づく制御が再生装置１０２により実行されない。
【０１１１】
なお、第２実施形態のその他の構成は、上記第１実施形態と同様である。
【０１１２】
（第２実施形態の効果）
第２実施形態では、以下のような効果を得ることができる。
【０１１３】
第２実施形態では、上記のように、複数の制御装置１０１（１０１ａおよび１０１ｂ）のうちいずれかから音声データの再生動作に関する制御要求を取得した場合に、予め設定された優先度に基づいて、制御要求に基づく制御の実行を調整するように再生装置１０２の制御部１２５を構成する。これにより、上記第１実施形態と同様に、あるユーザの再生装置１０２の使用中に、他の制御装置１０１による意図しない制御が実行されることを抑制することができる。
【０１１４】
また、第２実施形態では、上記のように、優先度の高い制御装置１０１（たとえば、制御装置１０１ａ）が制御状態であると判断される場合には、優先度の高い制御装置１０１から、優先度の低い制御装置１０１（たとえば、制御装置１０１ｂ）からの制御要求に基づく制御に関する許否設定情報を取得するとともに、取得された許否設定情報に基づいて、優先度の低い制御装置１０１からの制御要求に基づく制御を実行するか否かを判断するように制御部１２５を構成する。これにより、優先度の高い制御装置１０１を使用するユーザにより再生装置１０２が使用中であると考えられる場合であっても、たとえば優先度の高い制御装置１０１を使用するユーザが許可するような場合には、優先度の低い制御装置１０１からの制御要求に基づく制御を実行するようにすることができる。また、たとえば優先度の高い制御装置１０１を使用するユーザが拒否するような場合には、優先度の低い制御装置１０１からの制御要求に基づく制御を実行しないようにすることができる。これらの結果、優先度の高い制御装置１０１を使用するユーザの意図しない制御が実行されることを確実に抑制しつつ、優先度の高い制御装置１０１を使用するユーザの使用状況に合わせて、制御要求に基づく制御をより柔軟に実行することができる。
【０１１５】
なお、第２実施形態のその他の効果は、上記第１実施形態と同様である。
【０１１６】
[第３実施形態]
次に、図１、図６、図８および図１４〜図１６を参照して、第３実施形態について説明する。この第３実施形態では、上記第２実施形態とは異なる許否設定情報に基づいて、優先度の低い制御装置２０１からの制御要求に基づく制御を実行するか否かをさらに判断するように再生装置２０２を構成する例について説明する。
【０１１７】
（再生システムの構成）
本発明の第３実施形態による再生システム３００は、図１に示すように、制御装置２０１（２０１ａ〜２０１ｃ）と、再生装置２０２とを備える点で、上記第１実施形態の再生システム１００とは相違する。また、制御装置２０１は、制御部２１４を含む点で、上記第１実施形態の制御装置１とは相違する。また、再生装置２０２は、制御部２２５を含む点で、上記第１実施形態の再生装置２とは相違する。なお、上記第１実施形態と同一の構成については、同じ符号を付してその説明を省略する。
【０１１８】
第３実施形態では、制御装置２０１ａが優先度の高い制御装置２０１であり、制御装置２０１ｂおよび２０１ｃが優先度の低い制御装置２０１である例について説明する。
【０１１９】
（制御装置による再生装置の制御）
第３実施形態では、図１４および図１５に示すように、優先度の高い制御装置２０１ａの制御部２１４は、ユーザの操作に基づいて、優先度の低い制御装置２０１ｂおよび２０１ｃの制御要求に基づく制御を許可するかまたは拒否するかを設定するための許否設定画面２３４を、表示部１２に表示させる制御を行うように構成されている。
【０１２０】
すなわち、第３実施形態では、優先度の高い制御装置２０１ａは、ユーザの操作に基づいて許否設定画面２３４を表示部１２に表示させることにより、ユーザの任意のタイミングで、優先度の低い制御装置２０１ｂおよび２０１ｃからの制御要求に基づく制御を許可するかまたは拒否するかを、ユーザにより選択させ、入力させることが可能に構成されている。許否設定画面２３４では、複数（２つ）の制御装置２０１ｂおよび２０１ｃの各々について、個別に許可することまたは拒否することを選択し、入力することができる。また、「ＡＬＬ」ボタンを押すことにより、複数（２つ）の制御装置２０１ｂおよび２０１ｃの全部について、一度に許可することを選択し、入力することができる。
【０１２１】
また、優先度の高い制御装置２０１ａの制御部２１４は、ユーザの操作に基づいて、優先度の低い制御装置２０１ｂおよび２０１ｃの制御要求に基づく制御の許可または拒否の許否設定が選択され、入力された場合には、再生装置２０２に対して、複数（２つ）の優先度の低い制御装置２０１ｂおよび２０１ｃの制御要求に基づく制御に関する許否設定情報（以下、単に許否設定情報という）を送信するように構成されている。
【０１２２】
この結果、第３実施形態では、再生装置２０２の制御部２２５は、予め優先度の高い制御装置２０１ａから許否設定情報を取得可能に構成されているとともに、取得された許否設定情報に基づいて、優先度の低い制御装置２０１ｂおよび２０１ｃからの制御要求に基づく制御を実行するか否かを判断するように構成されている。
【０１２３】
〈優先度の低い制御装置から制御要求が送信される場合〉
次に、図１４〜図１５を参照して、許否設定情報に基づいて優先度の低い制御装置２０１ｂおよび２０１ｃからの制御要求を判断する場合について具体例に基づいて説明する。第３実施形態では、制御装置２０１ｂからの制御要求に基づく制御を許可することが設定され、制御装置２０１ｃからの制御要求に基づく制御を拒否することが設定された例について説明する。なお、以下の説明で、（１）〜（６）の符号は、参照する図面の符号と対応する。
【０１２４】
図１５に示すように、まず、（１）優先度の高い制御装置２０１ａの表示部１２に許否設定画面２３４（図１４参照）が表示され、許否設定が行われる。そして、（２）優先度の高い制御装置２０１ａから再生装置２０２に対して、許否設定情報を含む許否設定通知が送信される。そして、許否設定情報が再生装置２０２の記憶部２４に記憶され、管理される。以降は、記憶された許否設定情報に基づいて、優先度の低い制御装置２０１ｂおよび２０１ｃからの制御要求に基づく制御を実行するか否かが再生装置２０２により判断される。
【０１２５】
具体的には、（３）許否設定画面２３４で許可された制御装置２０１ｂから再生装置２０２に対して、制御要求が送信された場合には、記憶された許否設定情報に基づいて、許可された制御装置２０１ｂからの制御要求であると判断される。その結果、許可された制御装置２０１ｂからの制御要求に基づく制御が再生装置２０２により実行されるとともに、（４）再生装置２０２から許可された制御装置２０１ｂに対して、許可通知が送信される。
【０１２６】
一方、（５）許否設定画面２３４で拒否された制御装置２０１ｃから再生装置２０２に対して、制御要求が送信された場合には、記憶された許否設定情報に基づいて、拒否された制御装置２０１ｃからの制御要求であると判断される。その結果、拒否された制御装置２０１ｃからの制御要求に基づく制御が再生装置２０２により実行されずに、（６）再生装置２０２から拒否された制御装置２０１ｃに対して、拒否通知が送信される。
【０１２７】
（許否設定に基づいて制御要求を判断する処理）
次に、図１６を参照して、上記した再生システム３００における許否設定に基づいて制御要求に基づく制御を実行し、または実行しない場合の処理をシーケンス図に基づいて説明する。制御装置２０１（２０１ａ〜２０１ｃ）の動作は、制御部２１４により行われ、再生装置２０２の動作は、制御部２２５により行われる。
【０１２８】
図１６に示すように、まず、ステップＳ３１において、複数（３つ）の制御装置２０１ａ〜２０１ｃにより、互いの識別情報（たとえば、上記第１実施形態に記載のＵＤＩＤなどの機器固有の情報）が互いに通知されることにより、互いの機器情報（識別情報）が共有される。これにより、許否設定画面２３４（図１４参照）に、許可または拒否の設定を行う制御装置２０１として、他の制御装置２０１を表示させることが可能となる。
【０１２９】
そして、任意のタイミングでユーザにより許否設定のための操作がなされると、ステップＳ３２において、優先度の高い制御装置２０１ａの表示部１２に許否設定画面２３４が表示される。その後、ユーザの操作に基づいて、優先度の低い制御装置２０１ｂおよび２０１ｃの各々について、許可または拒否が選択され、設定されると、ステップＳ３３において、優先度の高い制御装置２０１ａから再生装置２０２に対して許否設定情報を含む許否設定通知が送信される。
【０１３０】
そして、ステップＳ３４において、許否設定情報が再生装置２０２により取得され、再生装置２０２の記憶部２４に記憶される。すなわち、取得された許否設定情報が再生装置２０２により管理される。
【０１３１】
そして、ステップＳ３５において、再生装置２０２から許可された制御装置２０１ｂに対して、許可通知が送信される。
【０１３２】
そして、ステップＳ３６において、許可されたことの通知画面（許可画面）３２（図８参照）が優先度の低い制御装置２０１ｂの表示部１２に表示される。
【０１３３】
その後、ステップＳ３７において、優先度の低い制御装置２０１ｂから再生装置２０２に対して、制御要求が送信されると、許否設定情報に基づいて、許可された制御装置２０１ｂからの制御要求であると判断される。その結果、ステップＳ３８において、許可された制御装置２０１ｂからの制御要求に基づく制御が再生装置２０２により実行される。
【０１３４】
また、ステップＳ３９において、優先度の低い制御装置２０１ｃから再生装置２０２に対して、制御要求が送信されると、許否設定情報に基づいて、拒否された制御装置２０１ｂからの制御要求であると判断される。その結果、ステップＳ４０において、再生装置２０２から拒否された制御装置２０１ｃに対して、拒否通知が送信される。この結果、ステップＳ４１において、拒否されたことの通知画面（拒否画面）３１（図６参照）が拒否された制御装置２０１ｃの表示部１２に表示される。この際、再生装置２０２では、許否された制御装置２０１ｃからの制御要求に基づく制御は、実行されない。
【０１３５】
なお、第３実施形態のその他の構成は、上記第１実施形態と同様である。
【０１３６】
（第３実施形態の効果）
第３実施形態では、以下のような効果を得ることができる。
【０１３７】
第３実施形態では、上記のように、複数の制御装置２０１（２０１ａ、２０１ｂおよび２０１ｃ）のうちいずれかから音声データの再生動作に関する制御要求を取得した場合に、予め設定された優先度に基づいて、制御要求に基づく制御の実行を調整するように再生装置２０２の制御部２２５を構成する。これにより、上記第１実施形態と同様に、あるユーザの再生装置２０２の使用中に、他の制御装置２０１による意図しない制御が実行されることを抑制することができる。
【０１３８】
また、第３実施形態では、上記のように、優先度の高い制御装置２０１（たとえば、制御装置２０１ａ）から、許否設定情報を予め取得するとともに、制御要求が優先度の低い制御装置２０１（たとえば、制御装置２０１ｂおよび２０１ｃ）からの制御要求であると判断される場合には、予め取得された許否設定情報に基づいて、優先度の低い制御装置２０１からの制御要求に基づく制御を実行するか否かを判断するように制御部２２５を構成する。これにより、複数の優先度の低い制御装置２０１の許否設定情報を一度に取得することができるので、複数の優先度の低い制御装置２０１の各々の許否設定情報を個別に取得する場合と比べて、再生装置２０２の動作が煩雑になるのを抑制することができる。また、予め取得された許否設定情報に基づいて、優先度の低い制御装置２０１からの制御要求に基づく制御を実行するか否かを判断することによって、優先度の高い制御装置２０１を使用するユーザの意図しない制御が実行されることを確実に抑制しつつ、優先度の高い制御装置２０１を使用するユーザの使用状況に合わせて、制御要求に基づく制御をより柔軟に実行することができる。
【０１３９】
なお、第３実施形態のその他の効果は、上記第１実施形態と同様である。
【０１４０】
（変形例）
なお、今回開示された実施形態は、全ての点で例示であって制限的なものではないと考えられるべきである。本発明の範囲は、上記した実施形態の説明ではなく特許請求の範囲によって示され、さらに特許請求の範囲と均等の意味および範囲内での全ての変更（変形例）が含まれる。
【０１４１】
たとえば、上記第１および第２実施形態では、２つの制御装置１ａ（１０１ａ）および１ｂ（１０１ｂ）を用い、第３実施形態では、３つの制御装置２０１ａ、２０１ｂおよび２０１ｃを用いた場合に、本発明を適用した例を示したが、本発明はこれに限られない。本発明は、４つ以上の複数の制御装置を用いる場合にも、適用可能である。
【０１４２】
また、上記第１〜第３実施形態では、３つの再生装置２ａ〜２ｃ（１０２、２０２）を用いた例を示したが、本発明はこれに限られない。本発明では、３つ以外の１または複数の再生装置が用いられてもよい。また、上記第１〜第３実施形態では、グループ（第１グループ）を形成する再生装置２ａ〜２ｃ（１０２、２０２）に対して、本発明を適用した例を示したが、本発明はこれに限られない。本発明は、グループを形成しない単一の再生装置に対しても、適用可能である。
【０１４３】
また、上記第１〜第３実施形態では、再生システム１００（２００、３００）が、制御装置１（１０１、２０１）と、再生装置２（１０２、２０２）と、無線ルータ３とを備えた例を示したが、本発明はこれに限られない。本発明では、再生システムが、制御装置と、再生装置と、無線ルータとに加えて、音楽や動画などのコンテンツが記憶された音源装置（記憶装置）をさらに備えていてもよい。この場合、音源装置に記憶されたコンテンツを、制御装置により指定し、再生装置により再生させてもよい。
【０１４４】
また、上記第１〜第３実施形態では、優先度の低い制御装置１ｂ（１０１ｂ、２０１ｂ、２０１ｃ）からの制御要求に基づく制御を実行すると判断される場合に、優先度の低い制御装置１ｂ（１０１ｂ、２０１ｂ、２０１ｃ）に対して、制御要求に基づく制御が許可されたことを通知した例を示したが、本発明はこれに限られない。本発明では、優先度の低い制御装置に対して、制御要求に基づく制御が許可されたことを通知しなくともよい。
【０１４５】
また、上記第２実施形態では、許否設定情報が再生装置１０２の記憶部２４に記憶された場合に、制御が許可された制御装置１０１ｂからの制御要求が取得された場合には、優先度の高い制御装置１０１ａに確認要求を送信することなく、制御要求に基づく制御が実行されるように構成された例を示したが、本発明はこれに限られない。本発明では、優先度の低い制御装置からの制御要求が取得される度に、優先度の高い制御装置に確認要求を送信し、その都度、優先度の高い許否設定情報を取得するように構成してもよい。
【０１４６】
また、上記第１および第３実施形態では、説明の便宜上、本発明の再生システム１００（２００、３００）の処理を処理フローに沿って順番に処理を行うフロー駆動型のフローチャートを用いて説明したが、本発明はこれに限られない。本発明では、再生システム１００（２００、３００）の処理動作を、イベントごとに処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【０１４７】
１、１ａ、１ｂ、１０１、１０１ａ、１０１ｂ、２０１、２０１ａ〜２０１ｃ  制御装置
２、２ａ〜２ｃ、１０２、２０２  再生装置
２１  通信部
２５、１２５、２２５  制御部
【図１】
2017003645.tif 000003
【図２】
2017003645.tif 000004
【図３】
2017003645.tif 000005
【図４】
2017003645.tif 000006
【図５】
2017003645.tif 000007
【図６】
2017003645.tif 000008
【図７】
2017003645.tif 000009
【図８】
2017003645.tif 000010
【図９】
2017003645.tif 000011
【図１０】
2017003645.tif 000012
【図１１】
2017003645.tif 000013
【図１２】
2017003645.tif 000014
【図１３】
2017003645.tif 000015
【図１４】
2017003645.tif 000016
【図１５】
2017003645.tif 000017
【図１６】
2017003645.tif 000018